(57)【要約】      （修正有）【課題】光学的ピックアップ部に対する板ばね部材の組み付け作業を簡略化することが可能なディスク装置を提供する。【解決手段】ディスク装置は、ガイド軸と、ガイド軸に対して移動可能に係合されるガイド軸係合部３１を含み、ガイド軸に沿って移動しながら少なくとも光ディスクに格納された情報を読み取る光学的ピックアップ部と、光学的ピックアップ部に取り付けられ、ガイド軸と光学的ピックアップ部のガイド軸係合部３１とのガタを減少させる板ばね部材４０とを備え、板ばね部材４０は、ガイド軸に対して当接して所定の付勢力で付勢する付勢部４１と、光学的ピックアップ部に対して、板ばね部材４０を仮固定するとともに仮位置決めするための仮位置決め固定部４２とを含む。【選択図】図３
2011123931.tif 000002
【特許請求の範囲】
【請求項１】
ガイド部と、
前記ガイド部に対して移動可能に係合されるガイド部係合部を含み、前記ガイド部に沿って移動しながら少なくとも光ディスクに格納された情報を読み取る光学的ピックアップ部と、
前記光学的ピックアップ部に取り付けられ、前記ガイド部と前記光学的ピックアップ部のガイド部係合部とのガタを減少させる板ばね部材とを備え、
前記板ばね部材は、
前記ガイド部に対して当接して所定の付勢力で付勢する付勢部と、
前記光学的ピックアップ部に対して、前記板ばね部材を仮固定するとともに仮位置決めするための仮位置決め固定部とを含む、ディスク装置。
【請求項２】
前記仮位置決め固定部は、前記光学的ピックアップ部に対して前記板ばね部材を仮固定する仮固定部と、前記仮固定部に一体的に設けられ、前記光学的ピックアップ部に対して前記板ばね部材を仮位置決めするための第１位置決め部とを含む、請求項１に記載のディスク装置。
【請求項３】
前記板ばね部材は、前記光学的ピックアップ部に本固定する本固定部をさらに含み、
前記仮固定部は、前記光学的ピックアップ部を前記本固定部との間に挟み込んだ状態で所定の把持力で把持することにより仮固定を行うように構成されている、請求項２に記載のディスク装置。
【請求項４】
前記光学的ピックアップ部は、前記板ばね部材の第１位置決め部に係合する位置決め穴部を含み、
前記仮位置決め固定部の第１位置決め部は、前記光学的ピックアップ部の位置決め穴に係合する凸形状を有する、請求項２または３に記載のディスク装置。
【請求項５】
前記仮位置決め固定部の第１位置決め部は、上方に向かって幅が狭くなる凸形状を有する、請求項４に記載のディスク装置。
【請求項６】
前記板ばね部材は、平面的に見て、前記仮位置決め固定部の第１位置決め部から所定の距離を隔てた位置に配置され、前記第１位置決め部と共に、前記光学的ピックアップ部に対する前記板ばね部材の位置を位置決めするための第２位置決め部を含む、請求項２〜５のいずれか１項に記載のディスク装置。
【請求項７】
前記板ばね部材の付勢部は、前記板ばね部材の前記ガイド部の延びる方向の端部近傍に設けられ、前記ガイド部側に突出する突出部を含む、請求項１〜６のいずれか１項に記載のディスク装置。
【請求項８】
前記ガイド部は、ガイド軸を含み、
前記板ばね部材の付勢部を構成する前記突出部は、前記ガイド軸の延びる方向と直交する方向に延びるように設けられている、請求項７に記載のディスク装置。
【請求項９】
前記ガイド部は、ガイド軸を含み、
前記板ばね部材は、前記付勢部から前記ガイド軸の延びる方向と直交する方向に延びるとともに斜め下方に曲がるように設けられ、前記板ばね部材が取り付けられた状態の前記光学的ピックアップ部のガイド部係合部を前記ガイド軸に装着する際に前記ガイド軸が前記板ばね部材の付勢部に当接するように誘導する誘導部を一体的に含む、請求項１〜８のいずれか１項に記載のディスク装置。
【発明の詳細な説明】
【技術分野】
【０００１】
この発明は、ディスク装置に関し、特に、ガイド部とガイド部に沿って移動される光学的ピックアップ部とを備えるディスク装置に関する。
【背景技術】
【０００２】
従来、ガイド部とガイド部に沿って移動される光学的ピックアップ部とを備えるディスク装置が知られている（たとえば、特許文献１参照）。
【０００３】
上記特許文献１には、ガイドロッド（ガイド部）と、ガイドロッドに沿って移動するとともに、磁気ディスクに格納された情報を読み取るヘッドキャリッジ（光学的ピックアップ部）と、ヘッドキャリッジに取り付けられ、ガイドロッドとヘッドキャリッジとのガタを減少させるガイドロッド押圧部材（板ばね部材）とを備えるディスク装置が開示されている。また、上記特許文献１によるディスク装置のガイドロッド押圧部材は、作業者がガイドロッド押圧部材をヘッドキャリッジに固定する際にヘッドキャリッジに対してガイドロッド押圧部材を仮固定するためのフック形状の取付部を有している。
【先行技術文献】
【特許文献】
【０００４】
【特許文献１】特開平１１−２６０００２号公報
【発明の概要】
【発明が解決しようとする課題】
【０００５】
しかしながら、上記特許文献１によるディスク装置では、ガイドロッド押圧部材（板ばね部材）をヘッドキャリッジ（光学的ピックアップ部）に固定する際に、フック形状の取付部でガイドロッド押圧部材をヘッドキャリッジに対して仮固定することができる一方で、明記はされていないが、ヘッドキャリッジの正確な固定位置にガイドロッド押圧部材を仮固定するために、作業者が仮固定作業と並行してガイドロッド押圧部材の位置合わせ作業を行う必要があると考えられる。このため、作業者によるヘッドキャリッジ（光学的ピックアップ部）に対するガイドロッド押圧部材（板ばね部材）の組み付け作業が煩雑になるという問題点があると考えられる。
【０００６】
この発明は、上記のような課題を解決するためになされたものであり、この発明の１つの目的は、光学的ピックアップ部に対する板ばね部材の組み付け作業を簡略化することが可能なディスク装置を提供することである。
【課題を解決するための手段および発明の効果】
【０００７】
この発明の一の局面によるディスク装置は、ガイド部と、ガイド部に対して移動可能に係合されるガイド部係合部を含み、ガイド部に沿って移動しながら少なくとも光ディスクに格納された情報を読み取る光学的ピックアップ部と、光学的ピックアップ部に取り付けられ、ガイド部と光学的ピックアップ部のガイド部係合部とのガタを減少させる板ばね部材とを備え、板ばね部材は、ガイド部に対して当接して所定の付勢力で付勢する付勢部と、光学的ピックアップ部に対して、板ばね部材を仮固定するとともに仮位置決めするための仮位置決め固定部とを含む。
【０００８】
この一の局面によるディスク装置では、上記のように、板ばね部材に、光学的ピックアップ部に対して、板ばね部材を仮固定するとともに仮位置決めするための仮位置決め固定部を設けることによって、板ばね部材を光学的ピックアップ部に対して組み付ける際に、仮位置決め固定部により、板ばね部材を光学的ピックアップ部に対して仮固定すると同時に、仮位置決めも行うことができるので、作業者が光学的ピックアップ部に対して行う板ばね部材の位置合わせ作業を仮固定作業とは別に行う必要がない。これにより、板ばね部材を光学的ピックアップ部に対して組み付ける際の作業者による組み付け作業を簡略化することができる。
【０００９】
上記一の局面によるディスク装置において、好ましくは、仮位置決め固定部は、光学的ピックアップ部に対して板ばね部材を仮固定する仮固定部と、仮固定部に一体的に設けられ、光学的ピックアップ部に対して板ばね部材を仮位置決めするための第１位置決め部とを含む。このように構成すれば、仮固定部と第１位置決め部とを一体的に設けることにより、仮固定部と第１位置決め部とを別個に設ける場合と比べて、部品点数が増加するのを抑制することができる。
【００１０】
上記仮固定部および第１位置決め部を有する板ばね部材を備えるディスク装置において、好ましくは、板ばね部材は、光学的ピックアップ部に本固定する本固定部をさらに含み、仮固定部は、光学的ピックアップ部を本固定部との間に挟み込んだ状態で所定の把持力で把持することにより仮固定を行うように構成されている。このように構成すれば、所定の把持力により板ばね部材の仮固定を行うことができるので、仮固定部を外れにくくすることができる。
【００１１】
上記仮固定部および第１位置決め部を有する板ばね部材を備えるディスク装置において、好ましくは、光学的ピックアップ部は、板ばね部材の第１位置決め部に係合する位置決め穴部を含み、仮位置決め固定部の第１位置決め部は、光学的ピックアップ部の位置決め穴に係合する凸形状を有する。このように構成すれば、凸形状の第１位置決め部を光学的ピックアップ部の位置決め穴部に係合させることにより、容易に、板ばね部材を光学的ピックアップ部に対して位置決めすることができる。
【００１２】
この場合において、好ましくは、仮位置決め固定部の第１位置決め部は、上方に向かって幅が狭くなる凸形状を有する。このように構成すれば、凸形状の第１位置決め部を光学的ピックアップ部の位置決め穴部に対して位置決め穴部の側方からスライドさせるようにして係合させる際に、上方に向かって幅が狭くなる第１位置決め部の側面に光学的ピックアップ部の位置決め穴部の側方の角部を当接させることにより、位置決め穴部の側方の角部が第１位置決め部の側面に沿って移動して凸形状の第１位置決め部に乗り上げるように、第１位置決め部を下方に移動させることができる。そして、位置決め穴部の側方の角部が凸形状の第１位置決め部に乗り上げた状態で凸形状の第１位置決め部をさらに位置決め穴部側にスライド移動させることにより、容易に凸形状の第１位置決め部を位置決め穴部に係合させることができる。これにより、ユーザが光学的ピックアップ部の位置決め穴部の側方の角部を避けるために第１位置決め部を下方に移動させる作業を行う必要がないので、板ばね部材を光学的ピックアップ部に対して組み付ける際の作業者による組み付け作業をより簡略化することができる。
【００１３】
上記仮固定部および第１位置決め部を有する板ばね部材を備えるディスク装置において、好ましくは、板ばね部材は、平面的に見て、仮位置決め固定部の第１位置決め部から所定の距離を隔てた位置に配置され、第１位置決め部と共に、光学的ピックアップ部に対する板ばね部材の位置を位置決めするための第２位置決め部を含む。このように構成すれば、平面的に見て、第１位置決め部の中心部分と第２位置決め部の中心部分とをずれた位置に配置することができるので、第１位置決め部と第２位置決め部とにより水平面内（互いに直交するＸＹ面内）におけるＸＹ方向の位置決めのみならず、板ばね部材の回転方向の位置決めも行うことができる。
【００１４】
上記一の局面によるディスク装置において、好ましくは、板ばね部材の付勢部は、板ばね部材のガイド部の延びる方向の端部近傍に設けられ、ガイド部側に突出する突出部を含む。このように構成すれば、板ばね部材がガイド部と直交する方向に大きくなるのを抑制しながら、突出部により所定の付勢力をガイド部に付与することができる。
【００１５】
この場合において、好ましくは、ガイド部は、ガイド軸を含み、板ばね部材の付勢部を構成する突出部は、ガイド軸の延びる方向と直交する方向に延びるように設けられている。このように構成すれば、ガイド軸と突出部とのガイド軸が延びる方向と直交する方向の相対的な位置が少しずれた場合にも、ガイド軸の延びる方向と直交する方向に延びる突出部により確実にガイド軸を付勢することができる。
【００１６】
上記一の局面によるディスク装置において、好ましくは、ガイド部は、ガイド軸を含み、板ばね部材は、付勢部からガイド軸の延びる方向と直交する方向に延びるとともに斜め下方に曲がるように設けられ、板ばね部材が取り付けられた状態の光学的ピックアップ部のガイド部係合部をガイド軸に装着する際にガイド軸が板ばね部材の付勢部に当接するように誘導する誘導部を一体的に含む。このように構成すれば、板ばね部材を光学的ピックアップ部に対して固定した後に、ガイド軸と光学的ピックアップ部のガイド部係合部とを係合させる際に、板ばね部材の誘導部に沿ってガイド軸をガイド部係合部に誘導することができるので、ガイド軸から板ばね部材の付勢部を退避させるように付勢部をガイド軸から遠ざかる方向（下方）に撓ませる作業を行う必要がない。これにより、ガイド軸と光学的ピックアップ部とを係合させる際の作業者による組み付け作業を簡略化することができる。
【図面の簡単な説明】
【００１７】
【図１】本発明の一実施形態によるディスク装置の構成を説明するための全体斜視図である。
【図２】図１に示したディスク装置の構成を説明するための平面図である。
【図３】図１に示したディスク装置の光学的ピックアップ部および板ばね部材の上方からの視点による斜視図である。
【図４】図１に示したディスク装置の光学的ピックアップ部の上方からの視点による斜視図である。
【図５】図１に示したディスク装置の光学的ピックアップ部の下方からの視点による斜視図である。
【図６】図１に示したディスク装置の光学的ピックアップ部および板ばね部材の下方からの視点による斜視図である。
【図７】図１に示したディスク装置の板ばね部材の斜視図である。
【図８】図１に示したディスク装置の光学的ピックアップ部および板ばね部材の平面図である。
【図９】図１に示したディスク装置の光学的ピックアップ部および板ばね部材の側面図である。
【図１０】図１に示したディスク装置の光学的ピックアップ部および板ばね部材の正面図である。
【図１１】図１に示したディスク装置の板ばね部材の平面図である。
【図１２】図１に示したディスク装置の板ばね部材の側面図である。
【発明を実施するための形態】
【００１８】
以下、本発明を具体化した実施形態を図面に基づいて説明する。
【００１９】
まず、図１〜図１２を参照して、本発明の一実施形態による光ディスク装置１の構成について説明する。なお、本実施形態では、光ディスク装置１は、本発明の「ディスク装置」の一例である。
【００２０】
図１および図２に示すように、本発明の一実施形態による光ディスク装置１は、光ディスク装置１の各部材を収容可能なフレーム１０と、フレーム１０に固定された一対のガイド軸２０および２１と、一対のガイド軸２０および２１に沿って移動可能に取り付けられ、ＤＶＤディスクやＢｌｕ−ｒａｙディスクなどの光ディスク（図示せず）に格納された情報を読み取る光学的ピックアップ部３０とを備えている。なお、ガイド軸２１は、本発明の「ガイド部」の一例である。また、光ディスク装置１は、さらに、光学的ピックアップ部３０に取り付けられ、ガイド軸２１と後述する光学的ピックアップ部３０のガイド軸係合部３１とのガタを減少させる方向（上方）にガイド軸２１を付勢する板ばね部材４０を備えている。
【００２１】
フレーム１０は、板金により形成されている。このフレーム１０の上側には、フレーム１０の長手方向（矢印Ｘ１方向および矢印Ｘ２方向）に沿って一対のガイド軸２０および２１が固定されている。これら一対のガイド軸２０および２１は、矢印Ｘ１方向および矢印Ｘ２方向に延びるステンレス製の丸棒からなり、互いに所定の間隔を隔てて略平行に配置されている。
【００２２】
また、光学的ピックアップ部３０は、ガイド軸２０および２１に対して移動可能に係合されるガイド軸係合部３１と、ガイド軸係合部３１の矢印Ｘ１方向側に固定され、ＤＶＤディスクなどの光ディスク（図示せず）に格納された情報を読み取る光学的ピックアップ３２とを含んでいる。なお、ガイド軸係合部３１は、本発明の「ガイド部係合部」の一例である。
【００２３】
ガイド軸係合部３１は、樹脂製の本体部３１ａと、本体部３１ａと一体的に形成されており、ガイド軸２０が挿入される２つの挿入穴部３１ｂおよび３１ｃと、本体部３１ａと一体的に形成されており、ガイド軸２１を挟み込むように係合可能な係合部３１ｄとを有している。ガイド軸係合部３１は、挿入穴部３１ｂ、３１ｃおよび係合部３１ｄにより一対のガイド軸２０および２１に沿って移動可能に係合されている。また、ガイド軸係合部３１は、さらに、本体部３１ａと係合部３１ｄとの間に本体部３１ａおよび係合部３１ｄと一体的に設けられ、板ばね部材４０をガイド軸係合部３１に取り付けるための取付部３１ｅ（図１参照）を有している。
【００２４】
ここで、本実施形態では、図３および図４に示すように、ガイド軸係合部３１の取付部３１ｅは、本体部３１ａと係合部３１ｄとを接続する部分に設けられた接続部３１ｆと、接続部３１ｆの矢印Ｘ１方向側に隣接するように設けられた板ばね固定部３１ｇとにより構成されている。また、接続部３１ｆの上面３１ｈは、図４に示すように、板ばね固定部３１ｇの上面３１ｉと比べて高くなるように構成されており、接続部３１ｆと板ばね固定部３１ｇとの境界部分には、段差部３１ｊが設けられている。
【００２５】
また、接続部３１ｆの上面３１ｈには、上方に突出する丸棒状のボス部３１ｋが設けられている。このボス部３１ｋは、図３に示すように、後述する板ばね部材４０の位置決め部４４の係合穴４４ａと係合されることにより、板ばね部材４０をガイド軸係合部３１（接続部３１ｆ）に対して仮固定するとともに仮位置決めする機能を有する。
【００２６】
また、板ばね固定部３１ｇには、図４および図５に示すように、板ばね固定部３１ｇの上面３１ｉ（図４参照）と下面３１ｌ（図５参照）とを接続する貫通穴３１ｍが設けられている。なお、貫通穴３１ｍは、本発明の「位置決め穴部」の一例である。この貫通穴３１ｍの上面３１ｉ側部分は、図３に示すように、後述する板ばね部材４０の固定部４３を板ばね固定部３１ｇにネジ止め（図２参照）する際のネジ穴として機能する。なお、貫通穴３１ｍの上面３１ｉ側部分は、後述する板ばね部材４０の固定部４３を板ばね固定部３１ｇにネジ止めする際に、螺合されるネジ部材５０（図２参照）によりねじ切りされる。また、貫通穴３１ｍの下面３１ｌ側部分（図５参照）は、図６に示すように、後述する板ばね部材４０の仮位置決め固定部４２の凸部４２ｂと係合されることにより、板ばね部材４０をガイド軸係合部３１（板ばね固定部３１ｇ）に対して仮固定するとともに仮位置決めする機能を有する。
【００２７】
また、光学的ピックアップ３２は、図１および図２に示すように、光学的ピックアップ３２の上方に配置されたＤＶＤディスクなどの光ディスク（図示せず）に対してレーザ光を照射することにより、光ディスクの記録再生を行うように構成されている。そして、光学的ピックアップ３２は、ガイド軸係合部３１がガイド軸２０および２１に沿って矢印Ｘ１方向または矢印Ｘ２方向に移動されることにより、光ディスク（図示せず）の適切な位置に移動されるとともに、光ディスク（図示せず）の適切な部分にレーザ光を照射することが可能なように構成されている。
【００２８】
また、本実施形態では、板ばね部材４０は、図７〜図１０に示すように、ガイド軸２１（図８〜図１０参照）に当接して所定の付勢力でガイド軸２１を上方に付勢する付勢部４１（図７〜図９参照）と、光学的ピックアップ部３０のガイド軸係合部３１（図８〜図１０参照）に対して、板ばね部材４０を仮固定するとともに仮位置決めするための仮位置決め固定部４２（図７、図９および図１０参照）と、板ばね部材４０をガイド軸係合部３１に本固定する固定部４３と、ガイド軸係合部３１に対する板ばね部材４０の位置を位置決めするための位置決め部４４と、付勢部４１と固定部４３とを連結する連結部４５とにより構成されている。なお、固定部４３は、本発明の「本固定部」の一例である。
【００２９】
付勢部４１は、図７および図１１に示すように、平面的に見て、仮位置決め固定部４２（図７参照）および固定部４３の側方側（矢印Ｙ１方向側）から矢印Ｘ２方向に向かって延びる平坦部４１ａと、平坦部４１ａからさらに矢印Ｘ２方向上方に向かって延びる傾斜部４１ｂと、傾斜部４１ｂの矢印Ｘ２方向側端部に傾斜部４１ｂと一体的に形成されたガイド軸支持部４１ｃとにより構成されている。
【００３０】
平坦部４１ａは、図７に示すように、固定部４３の矢印Ｙ１方向側端部から下方に延びる連結部４５の下端部の矢印Ｙ１方向側部分近傍から矢印Ｘ２方向に向かって延びるように構成されている。また、平坦部４１ａは、図１２に示すように、側方から見て、略水平方向に配置されている。また、平坦部４１ａは、図８に示すように、平面的に見て、ガイド軸係合部３１の係合部３１ｄの矢印Ｘ１方向および矢印Ｘ２方向の幅よりも長くなるように構成されている。これにより、図９に示すように、板ばね部材４０が光学的ピックアップ部３０に取り付けられた際に、平坦部４１ａをガイド軸係合部３１の係合部３１ｄの下方に配置することが可能となる。
【００３１】
また、傾斜部４１ｂは、側方からＹ２方向に見て、ガイド軸支持部４１ｃをガイド軸２１の下端の高さ位置よりも高い位置になるように、矢印Ｘ２方向に向かうにつれて上方に傾斜するように配置されている。上記平坦部４１ａおよび傾斜部４１ｂによって、ガイド軸支持部４１ｃは、ガイド軸２１を所定の付勢力で上方に付勢することが可能となる。
【００３２】
また、ガイド軸支持部４１ｃには、図７および図９に示すように、ガイド軸２１（図９参照）側（上方）に突出する突出部４１ｄが形成されている。つまり、突出部４１ｄは、付勢部４１のガイド軸２１の延びる方向（矢印Ｘ２方向）の端部近傍のガイド軸支持部４１ｃに一体的に設けられている。この突出部４１ｄは、ガイド軸２１（図９参照）と当接するとともに、ガイド軸２１を上方に付勢するために設けられている。また、突出部４１ｄは、図８に示すように、矢印Ｙ１方向側端部および矢印Ｙ２方向側端部が半円形状であるとともに、ガイド軸２１の延びる方向（矢印Ｘ１方向および矢印Ｘ２方向）と直交する方向（矢印Ｙ１方向および矢印Ｙ２方向）に延びるように構成されている。また、突出部４１ｄは、図１２に示すように、上端面が略平坦になるように構成されている。この突出部４１ｄの平坦部分４１ｅは、図７および図８に示すように、ガイド軸２１の延びる方向（矢印Ｘ１方向および矢印Ｘ２方向）と直交する方向（矢印Ｙ１方向および矢印Ｙ２方向）に延びるように形成されている。
【００３３】
また、仮位置決め固定部４２は、図７および図１２に示すように、付勢部４１の矢印Ｘ１方向側の端部が矢印Ｘ２方向側に１８０°折り曲げられることにより、付勢部４１と一体的に形成されている。また、仮位置決め固定部４２は、図１０に示すように、ガイド軸係合部３１の側部側（矢印Ｙ２方向側）に向かって延びる平板状に形成されている。これにより、仮位置決め固定部４２の上面４２ａは、ガイド軸係合部３１の取付部３１ｅの板ばね固定部３１ｇの下面３１ｌと対向するように配置される。この仮位置決め固定部４２の上面４２ａは、固定部４３の下面４３ａとガイド軸係合部３１の取付部３１ｅの板ばね固定部３１ｇを挟み込んだ状態で所定の把持力で把持することにより、ガイド軸係合部３１に対して板ばね部材４０を仮固定する機能を有する。なお、上面４２ａは、本発明の「仮固定部」の一例である。
【００３４】
また、仮位置決め固定部４２の矢印Ｙ２方向側端部近傍（図７参照）には、図７および図１２に示すように、上方に突出する凸部４２ｂが設けられている。なお、凸部４２ｂは、本発明の「第１位置決め部」の一例である。この凸部４２ｂは、平板状の仮位置決め固定部４２の矢印Ｙ２方向側端部近傍（図７参照）が上方に向かって押し出されることによって、仮位置決め固定部４２の上面４２ａと一体的に形成されている。つまり、凸部４２ｂは、上方に向かって幅が狭くなる略半球形状の凸形状を有する。また、凸部４２ｂ（図６参照）は、図５および図６に示すように、ガイド軸係合部３１の板ばね固定部３１ｇの貫通穴３１ｍの下面３１ｌ（図５参照）側部分に係合するように構成されている。これにより、凸部４２ｂが貫通穴３１ｍの下面３１ｌに係合された際には、板ばね部材４０は、光学的ピックアップ部３０のガイド軸係合部３１に対して仮位置決めされる。
【００３５】
また、固定部４３は、図４および図７に示すように、板ばね固定部３１ｇの上面３１ｉ（図４参照）と対向する平板形状を有しているとともに、上述したように矢印Ｙ１方向側端部が連結部４５（図７参照）と接続されている。また、固定部４３の下面４３ａは、図３に示すように、上述したように、仮位置決め固定部４２の上面４２ａとガイド軸係合部３１の取付部３１ｅの板ばね固定部３１ｇとを挟み込んだ状態で所定の把持力で把持することにより、ガイド軸係合部３１に対して板ばね部材４０を仮固定する機能を有する。また、固定部４３には、図７に示すように、板ばね固定部３１ｇの貫通穴３１ｍの上面３１ｉ（図４参照）側部分と対向する位置に、ねじ挿入穴部４３ｂが形成されている。これにより、板ばね部材４０は、ねじ部材５０（図２参照）がねじ挿入穴部４３ｂを介して貫通穴３１ｍの上面３１ｉ（図４参照）側部分に螺合されることにより、ガイド軸係合部３１（光学的ピックアップ部３０（図３参照））に対して固定される。
【００３６】
上記のように、板ばね部材４０がガイド軸係合部３１（光学的ピックアップ部３０（図３参照））に対して固定される際には、固定部４３の下面４３ａと仮位置決め固定部４２の上面４２ａとがガイド軸係合部３１の取付部３１ｅの板ばね固定部３１ｇ（図３参照）を挟み込むことにより、ガイド軸係合部３１に対して板ばね部材４０が仮固定されている。また、ガイド軸係合部３１（図３参照）に対して板ばね部材４０が仮固定される際には、板ばね部材４０の凸部４２ｂが貫通穴３１ｍの下面３１ｌ（図５参照）側部分に係合されるとともに、後述する位置決め部４４の係合穴４４ａがガイド軸係合部３１のボス部３１ｋ（図４参照）に係合されることにより、ガイド軸係合部３１（図３参照）に対して板ばね部材４０が仮位置決めされている。
【００３７】
また、位置決め部４４は、固定部４３の矢印Ｘ２方向側に隣接するように固定部４３と一体的に形成されている。この位置決め部４４は、ガイド軸係合部３１の取付部３１ｅの接続部３１ｆの上面３１ｈ（図４参照）と対向するように配置される。また、位置決め部４４は、板ばね固定部３１ｇの上面３１ｉ（図４参照）と対向する固定部４３よりも上方に位置するように形成されており、位置決め部４４と固定部４３との間には、段差部４６が形成されている。この段差部４６は、固定部４３が板ばね固定部３１ｇ（図４参照）に配置されるとともに位置決め部４４が接続部３１ｆ（図４参照）に配置されることにより、板ばね部材４０がガイド軸係合部３１（図４参照）に仮位置決めされる際に、段差部３１ｊ（図４参照）に引っかかるように構成されている。
【００３８】
また、位置決め部４４には、ガイド軸係合部３１の接続部３１ｆのボス部３１ｋ（図４参照）と係合可能な係合穴４４ａが形成されている。この係合穴４４ａは、図１１に示すように、平面的に見て、仮位置決め固定部４２の凸部４２ｂから所定の距離を隔てた位置に配置されており、凸部４２ｂと共に、光学的ピックアップ部３０（ガイド軸係合部３１（図４参照））に対する板ばね部材４０の位置を位置決めする機能を有する。なお、係合穴４４ａは、本発明の「第２位置決め部」の一例である。
【００３９】
また、付勢部４１のガイド軸支持部４１ｃの矢印Ｙ１方向側には、図１０に示すように、板ばね部材４０が取り付けられた状態のガイド軸係合部３１をフレーム１０（図２参照）に取り付ける場合において、フレーム１０に固定されたガイド軸２１に対してガイド軸係合部３１の係合部３１ｄを装着する際に、ガイド軸２１がガイド軸支持部４１ｃに当接するように誘導する誘導部４７が設けられている。この誘導部４７は、図８および図１０に示すように、ガイド軸支持部４１ｃの矢印Ｙ１方向側端部からガイド軸２１が延びる方向（矢印Ｘ１方向および矢印Ｘ２方向）と直交する方向（矢印Ｙ１方向および矢印Ｙ２方向）に延びるとともに、斜め下方に曲がるように構成されている。これにより、誘導部４７をガイド軸２１の側面に向かってスライド移動させることにより、図９に示すように、ガイド軸２１の側面により誘導部４７が下方に押し下げられるので、ガイド軸２１をガイド軸支持部４１ｃに誘導することが可能となる。
【００４０】
本実施形態では、上記のように、板ばね部材４０に、光学的ピックアップ部３０に対して、板ばね部材４０を仮固定するとともに仮位置決めするための仮位置決め固定部４２を設けることによって、板ばね部材４０を光学的ピックアップ部３０に対して組み付ける際に、仮位置決め固定部４２により、板ばね部材４０を光学的ピックアップ部３０に対して仮固定すると同時に、仮位置決めも行うことができるので、作業者が光学的ピックアップ部３０に対して行う板ばね部材４０の位置合わせ作業を仮固定作業とは別に行う必要がない。これにより、板ばね部材４０を光学的ピックアップ部３０に対して組み付ける際の作業者による組み付け作業を簡略化することができる。
【００４１】
また、本実施形態では、上記のように、仮位置決め固定部４２に、光学的ピックアップ部３０に対して板ばね部材４０を仮固定する上面４２ａと、上面４２ａに一体的に、光学的ピックアップ部３０に対して板ばね部材４０を仮位置決めするための凸部４２ｂとを設けることによって、上面４２ａと凸部４２ｂとを一体的に設けることにより、上面４２ａと凸部４２ｂとを別個に設ける場合と比べて、部品点数が増加するのを抑制することができる。
【００４２】
また、本実施形態では、上記のように、仮位置決め固定部４２の上面４２ａを、光学的ピックアップ部３０を固定部４３との間に挟み込んだ状態で所定の把持力で把持することにより仮固定を行うように構成することによって、所定の把持力により板ばね部材４０の仮固定を行うことができるので、仮位置決め固定部４２の上面４２ａを外れにくくすることができる。
【００４３】
また、本実施形態では、上記のように、仮位置決め固定部４２の凸部４２ｂを、上方に向かって幅が狭くなる凸形状を有するように構成することによって、凸部４２ｂの凸部分の上方部分の幅が狭い分、容易に光学的ピックアップ部３０の貫通穴３１ｍに凸部４２ｂの先端部分を挿入することができる。
【００４４】
また、本実施形態では、上記のように、板ばね部材４０に、平面的に見て、仮位置決め固定部４２の凸部４２ｂから所定の距離を隔てた位置に配置され、凸部４２ｂと共に、光学的ピックアップ部３０に対する板ばね部材４０の位置を位置決めするための係合穴４４ａを設けることによって、凸形状の凸部４２ｂを光学的ピックアップ部３０の貫通穴３１ｍに対して貫通穴３１ｍの側方（矢印Ｙ１方向側）からスライドさせるようにして係合させる際に、上方に向かって幅が狭くなる凸部４２ｂの側面に光学的ピックアップ３０部の貫通穴３１ｍの側方（板ばね固定部３１ｇ）の角部を当接させることにより、貫通穴３１ｍの側方（板ばね固定部３１ｇ）の角部が凸部４２ｂの側面に沿って移動して凸部４２ｂに乗り上げるように、凸部４２ｂを下方に移動させることができる。そして、貫通穴３１ｍの側方（板ばね固定部３１ｇ）の角部が凸部４２ｂに乗り上げた状態で凸部４２ｂをさらに貫通穴３１ｍ側にスライド移動させることにより、容易に凸部４２ｂを貫通穴３１ｍに係合させることができる。これにより、ユーザが光学的ピックアップ部３０の貫通穴３１ｍの側方（板ばね固定部３１ｇ）の角部を避けるために凸部４２ｂを下方に移動させる作業を行う必要がないので、板ばね部材４０を光学的ピックアップ部３０に対して組み付ける際の作業者による組み付け作業をより簡略化することができる。
【００４５】
また、本実施形態では、上記のように、板ばね部材４０に、平面的に見て、仮位置決め固定部４２の凸部４２ｂから所定の距離を隔てた位置に配置され、凸部４２ｂと共に、光学的ピックアップ部３０に対する板ばね部材４０の位置を位置決めするための係合穴４４ａを設けることによって、平面的に見て、凸部４２ｂの中心部分と係合穴４４ａの中心部分とをずれた位置に配置することができるので、凸部４２ｂと係合穴４４ａとにより水平面内（互いに直交するＸＹ面内）におけるＸＹ方向の位置決めのみならず、板ばね部材４０の回転方向の位置決めも行うことができる。
【００４６】
また、本実施形態では、上記のように、板ばね部材４０の付勢部４１に、板ばね部材４０のガイド軸２１の延びる方向（矢印Ｘ２方向）の端部近傍に、ガイド軸２１側（上方）に突出する突出部４１ｄを設けることによって、板ばね部材４０をガイド軸２１と直交する方向（矢印Ｙ１方向および矢印Ｙ２方向）に大きくなるのを抑制しながら突出部４１ｄにより所定の付勢力をガイド軸２１に付与することができる。
【００４７】
また、本実施形態では、上記のように、板ばね部材４０の付勢部４１を構成する突出部４１ｄを、ガイド軸２１の延びる方向（矢印Ｘ１方向および矢印Ｘ２方向）と直交する方向（矢印Ｙ１方向および矢印Ｙ２方向）に延びるように設けることによって、ガイド軸２１と突出部４１ｄとのガイド軸２１が延びる方向（矢印Ｘ１方向および矢印Ｘ２方向）と直交する方向（矢印Ｙ１方向および矢印Ｙ２方向）の相対的な位置が少しずれた場合にも、ガイド軸２１の延びる方向と直交する方向（矢印Ｙ１方向および矢印Ｙ２方向）に延びる突出部４１ｄにより確実にガイド軸２１を付勢することができる。
【００４８】
また、本実施形態では、上記のように、板ばね部材４０に、付勢部４１からガイド軸２１の延びる方向と直交する方向（矢印Ｙ１方向および矢印Ｙ２方向）に延びるとともに斜め下方に曲がるように設けられるとともに、板ばね部材４０が取り付けられた状態の光学的ピックアップ部３０のガイド軸係合部３１をガイド軸２１に装着する際にガイド軸２１が板ばね部材４０の付勢部４１に当接するように誘導する誘導部４７を一体的に設けることによって、板ばね部材４０を光学的ピックアップ部３０に対して固定した後に、ガイド軸２１と光学的ピックアップ部３０のガイド軸係合部３１とを係合させる際に、板ばね部材４０の誘導部４７に沿ってガイド軸２１をガイド軸係合部３１の係合部３１ｄに誘導することができるので、ガイド軸２１から板ばね部材４０の付勢部４１を退避させるように付勢部４１をガイド軸２１から遠ざかる方向（下方）に撓ませる作業を行う必要がない。これにより、ガイド軸２１と光学的ピックアップ部３０とを係合させる際の作業者による組み付け作業を簡略化することができる。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記実施形態では、本発明のディスク装置のガイド部の一例としてガイド軸を用いた例について示したが、本発明はこれに限られない。たとえば、ガイド部が溝形状により構成されるなど、光学的ピックアップ部を移動可能であるならば、ガイド部をガイド軸以外により構成するようにしてもよい。
【００５１】
また、上記実施形態では、板ばね部材を光学的ピックアップ部に対して仮位置決めするために、板ばね部材に凸部を設けるとともに、光学的ピックアップ部に凸部を係合可能な貫通穴を設けた例について示したが、本発明はこれに限られない。板ばね部材に係合穴を設けるとともに、光学的ピックアップ部に係合穴と係合可能な凸部を設けるようにしてもよい。
【００５２】
また、上記実施形態では、仮位置決め固定部の上面と固定部の下面との間に挟みこんだ状態で、板ばね部材を光学的ピックアップ部に仮固定した例について示したが、本発明はこれに限られない。たとえば、板ばね部材に、仮位置決め固定部とで光学的ピックアップ部を挟み込むことが可能な仮固定部を別途設けるとともに、仮位置決め固定部の上面と別途設けた仮固定部とで光学的ピックアップ部を挟み込むようにして、板ばね部材を光学的ピックアップ部に仮固定するようにしてもよい。
【００５３】
また、上記実施形態では、板ばね部材を板ばね部の突出部がガイド軸を上方に付勢するように構成した例について示したが、本発明はこれに限られない。板ばね部を突出部がガイド軸を下方に付勢するように構成してもよい。
【符号の説明】
【００５４】
１  光ディスク装置（ディスク装置）
２１  ガイド軸（ガイド部）
３０  光学的ピックアップ部
３１  ガイド軸係合部（ガイド部係合部）
３１ｍ  貫通穴（位置決め穴部）
４０  板ばね部材
４１  付勢部
４１ｄ  突出部
４２  仮位置決め固定部
４２ａ  上面（仮固定部）
４２ｂ  凸部（第１位置決め部）
４３  固定部（本固定部）
４４ａ  係合穴（第２位置決め部）
４７  誘導部
【図１】
2011123931.tif 000003
【図２】
2011123931.tif 000004
【図３】
2011123931.tif 000005
【図４】
2011123931.tif 000006
【図５】
2011123931.tif 000007
【図６】
2011123931.tif 000008
【図７】
2011123931.tif 000009
【図８】
2011123931.tif 000010
【図９】
2011123931.tif 000011
【図１０】
2011123931.tif 000012
【図１１】
2011123931.tif 000013
【図１２】
2011123931.tif 000014